(57)【要約】【課題】ガラスユニットのガラス枠への取付作業効率を向上させることができるガラスユニットの取付構造を提供すること。【解決手段】本例のガラスユニット取付構造１は，ガラス枠２にガラスユニット３を着脱可能に取り付けてなる。ガラス枠２は，開口穴２３と４つの係合部２１とを有し，ガラスユニット３は，ガラス３２と，４つの被係合部３１を備えた外縁部３３とを有している。ガラスユニット取付構造１は，各被係合部３１と各係合部２１とを係合して，ガラス枠２にガラスユニット３を取り付けた両者の取付位置関係が，複数通り取り得るよう構成されている。また，この取付構造１は，ガラス枠２とガラスユニット３とがいずれの取付位置関係にあっても，ガラスユニット３のガラス３２又は外縁部３３がガラス枠２の開口穴２３を後方側２０１より覆うよう構成されている。【選択図】  図１
2004201737.tif 000002
【特許請求の範囲】
【請求項１】
ガラス枠にガラスユニットを着脱可能に取り付けてなるガラスユニットの取付構造において，
上記ガラス枠は，上記ガラスユニットにより後方側を覆われる開口穴と，上記ガラスユニットに設けた被係合部と係合する係合部とを有しており，
上記ガラスユニットは，ガラスと，該ガラスの外縁を囲うよう配設された外縁部とを有しており，かつ該外縁部には，上記被係合部を有しており，
上記ガラス枠に上記ガラスユニットを取り付けた両者の取付位置関係が，複数通り取り得るよう構成されており，かつ，上記ガラス枠と上記ガラスユニットとがいずれの取付位置関係にあっても，上記ガラスユニットの上記ガラス又は上記外縁部が上記ガラス枠の上記開口穴を後方側より覆うよう構成されていることを特徴とするガラスユニットの取付構造。
【請求項２】
請求項１において，上記ガラス枠に上記ガラスユニットを取り付けた１つの形態を基準状態とした場合，上記ガラスユニットをその同一平面内で所定角度回転させた変更状態においても取付可能であるよう構成されていることを特徴とするガラスユニットの取付構造。
【請求項３】
請求項１又は２において，上記ガラスユニットの被係合部は３箇所以上形成されており，該各被係合部は，これらを結んで作成した仮想の多角形における各内角の大きさが同じであるよう形成されていることを特徴とするガラスユニットの取付構造。
【請求項４】
請求項３において，上記ガラスユニットの被係合部は，４箇所に形成されていることを特徴とするガラスユニットの取付構造。
【請求項５】
請求項１〜４のいずれか一項において，上記ガラスユニットを上記ガラス枠に対して表裏反転させても取付可能であることを特徴とするガラスユニットの取付構造。
【請求項６】
請求項１〜５のいずれか一項において，上記ガラスユニットは，略表裏対称形状を有していることを特徴とするガラスユニットの取付構造。
【発明の詳細な説明】
【０００１】
【技術分野】
本発明は，ガラス枠にガラスユニットを着脱可能に取り付けてなるガラスユニットの取付構造に関する。
【０００２】
【従来技術】
例えば，パチンコ遊技機は，遊技を行う遊技盤を取り付けた本体枠と，この本体部に対して開閉自在に配設されたガラス扉とを有している。
そして，ガラス扉は，これに直接ガラスを設けるのではなく，これに対して着脱可能なガラスユニットにガラスを設け，このガラスユニットをガラス扉の枠部であるガラス枠に取り付けることにより構成されている。
このような，パチンコ遊技機のガラス扉としては，例えば，特許文献１に示すものがある。
【０００３】
【特許文献１】
特開平６−１３４１２１号公報（第１０図等）
【０００４】
【解決しようとする課題】
しかしながら，上記従来のガラスユニットは，一定の向きにしか上記ガラス枠に取り付けることができず，上下左右，表裏等の明確な方向性を有している。そのため，作業者は，上記ガラス枠に上記ガラスユニットを取り付ける際には，常にその向き，すなわちその方向性を意識して取り付けることが必要である。そのため，上記取付作業の作業効率の低下を招いている。
【０００５】
本発明は，かかる従来の問題点に鑑みてなされたもので，ガラスユニットのガラス枠への取付の作業効率を向上させることができるガラスユニットの取付構造を提供しようとするものである。
【０００６】
【課題の解決手段】
本発明は，ガラス枠にガラスユニットを着脱可能に取り付けてなるガラスユニットの取付構造において，
上記ガラス枠は，上記ガラスユニットにより後方側を覆われる開口穴と，上記ガラスユニットに設けた被係合部と係合する係合部とを有しており，
上記ガラスユニットは，ガラスと，該ガラスの外縁を囲うよう配設された外縁部とを有しており，かつ該外縁部には，上記被係合部を有しており，
上記ガラス枠に上記ガラスユニットを取り付けた両者の取付位置関係が，複数通り取り得るよう構成されており，かつ，上記ガラス枠と上記ガラスユニットとがいずれの取付位置関係にあっても，上記ガラスユニットの上記ガラス又は上記外縁部が上記ガラス枠の上記開口穴を後方側より覆うよう構成されていることを特徴とするガラスユニットの取付構造にある（請求項１）。
【０００７】
本発明においては，上記開口穴及び係合部を有するガラス枠と，上記ガラス及び上記被係合部を備えた外縁部を有するガラスユニットとを用いて，取付の際の作業効率が改善されたガラスユニットの取付構造を実現する。
すなわち，本発明の取付構造は，上記係合部及び被係合部を係合して，上記ガラス枠と上記ガラスユニットとの取付位置関係が，複数通り取り得るよう構成されている。また，この取付構造は，上記取付位置関係が，いずれの取付位置関係にあっても，上記ガラスユニットのガラス又は外縁部が上記ガラス枠の開口穴を後方側より覆うよう構成されている。
【０００８】
そのため，本発明においては，上記ガラスユニットは，上記ガラス枠に対する向きを変えた状態でも，このガラス枠に対して取り付けることができ，このガラスユニットのガラス又は外縁部がガラス枠の開口穴を後方側より覆うことができる。
そして，上記取付構造においては，ガラスユニットは明確な一方向性を有しておらず，このガラスユニットにおける一定の方向を常にガラス枠の一定の方向に合わせて取り付けることが不要となる。そのため，作業者は，ガラスユニットの向きを厳密に意識することなく上記取付作業を行うことができる。
それ故，本発明によれば，上記取付作業の作業効率を向上させることができる。
【０００９】
【発明の実施の形態】
上述した本発明における好ましい実施の形態につき説明する。
本発明のガラスユニットの取付構造は，上記ガラス枠に上記ガラスユニットを取り付けた１つの形態を基準状態とした場合，上記ガラスユニットをその同一平面内で所定角度回転させた変更状態においても取付可能であるよう構成されていることが好ましい（請求項２）。
この場合には，上記取付位置関係が，上記基準状態と上記所定角度回転させた変更状態とのいずれの取付位置関係にあっても，上記ガラスユニットのガラスが上記ガラス枠の開口穴を後方側より覆うことができる。
そのため，ガラスユニットは，上記ガラスユニットは，上記ガラス枠に対して上記平面内で所定角度回転させて向きを変えた状態でも，このガラス枠に対して取り付けることができ，上記ガラス又は上記外縁部が上記開口穴を後方側より覆うことができる。
【００１０】
また，上記ガラスユニットの取付構造においては，上記ガラスユニットの被係合部が３箇所以上形成されており，該各被係合部は，これらを結んで作成した仮想の多角形における各内角の大きさが同じであるよう形成されていることが好ましい（請求項３）。
この場合には，上記ガラスユニットの被係合部を容易に形成することができ，容易に上記複数通りの取付位置関係を形成することができる。
【００１１】
また，上記ガラスユニットの被係合部は，４箇所に形成されていることが好ましい（請求項４）。
ところで，上記ガラス枠は４角形であることが多い。そのため，この場合には，上記４箇所の被係合部により上記４角形のガラス枠に対して上記ガラスユニットを上下左右ともバランスよく取り付けることができる。
【００１２】
また，上記ガラスユニットの取付構造においては，上記ガラスユニットが上記ガラス枠に対して表裏反転させても取付可能であることが好ましい（請求項５）。
この場合には，上記ガラスユニットは，その表裏を意識することなく，上記ガラス枠に対して取り付けることができる。そのため，上記取付作業が一層容易になる。
【００１３】
また，上記ガラスユニットは，略表裏対称形状を有していることが好ましい（請求項６）。
この場合には，上記ガラスユニットの表裏を意識することなく，これを上記ガラス枠に対して取り付けることができると共に，ガラスユニット自体の製作も容易である。
【００１４】
【実施例】
以下に，図面を用いて本発明のガラスユニットの取付構造にかかる実施例につき説明する。
（実施例１）
本例のガラスユニットの取付構造１（以下にガラスユニット取付構造１という）は，図１に示すごとく，ガラス枠２にガラスユニット３を着脱可能に取り付けてなる。
上記ガラス枠２は，図２に示すごとく，上記ガラスユニット３により後方側２０１より覆われる開口穴２３と，上記ガラスユニット３に設けた被係合部３１を係合する係合部２１とを有している。また，上記ガラスユニット３は，図３に示すごとく，ガラス３２と，このガラス３２の外縁を囲うよう配設されると共に上記被係合部３１を備えた外縁部３３とを有している。
【００１５】
そして，上記ガラスユニット取付構造１は，図１，図６（ａ）〜（ｄ）に示すごとく，上記ガラス枠２に上記ガラスユニット３を取り付けた両者の取付位置関係が，複数通り取り得るよう構成されている。また，この取付構造１は，図４に示すごとく，上記ガラス枠２と上記ガラスユニット３とがいずれの取付位置関係にあっても，ガラスユニット３のガラス３２又は外縁部３３がガラス枠２の開口穴２３を後方側２０１より覆うよう構成されている。
【００１６】
以下に，これを詳説する。
以下に，上記ガラスユニット３を上記ガラス枠２に取り付けたものをガラス扉１という。すなわち，図１に示すごとく，本例のガラスユニット取付構造１は，ガラス扉１を構成する。
そして，本例においては，このガラス扉１をパチンコ遊技機に用いる。本例のガラス扉１は，図４に示すごとく，パチンコ遊技機の枠体４の前方側２０２より，この枠体４に対してヒンジ部２５（図１参照）により開閉可能に取り付けるものである。
【００１７】
また，図４に示すごとく，上記枠体４には，パチンコ遊技を行う遊技盤５が配設されており，上記ガラス扉１を上記枠体４に取り付けたときには，上記ガラスユニット３のガラス３２は，上記遊技盤５に対向する。
また，上記後方側２０１とは，パチンコ遊技機において遊技者に対向しない側，すなわち外部に露出しない側で，上記枠体４に対向する側をいう。また，上記前方側２０２とは，上記後方側２０１とは反対側をいい，パチンコ遊技機において遊技者に対向する側をいう。
【００１８】
図３に示すごとく，本例においては，上記ガラスユニット３は，上下及び左右及び表裏対称に形成されている。すなわち，本例のガラスユニット３の被係合部３１は４箇所に形成されており，各被係合部３１は，これらを結んで作成した仮想の多角形Ｙにおける各内角θの大きさが同じである。
また，ガラスユニット３は，図３に示すごとく，上記被係合部３１を左右に２箇所ずつ有しており，これらの被係合部３１は，図４に示すごとく，いずれもガラスユニット３の表裏方向（厚み方向）における中央部に形成されている。
【００１９】
また，図３，図４に示すごとく，上記ガラスユニット３のガラス３２は，略真円形状のガラス板３２１により形成されている。また，本例のガラスユニット３は，複層ガラスユニット３であり，上記ガラス３２は，２枚の上記ガラス板３２１を対向配設した２重ガラス構造を有している。そして，上記外縁部３３は，２枚のガラス板３２１を対向させて固定する一対の外周凹部３３１と，上記ガラス３２の外周側に位置する外周部３３２とを有している。
【００２０】
また，上記ガラスユニット３の各被係合部３１は，上記外縁部３３より外方に向けて突出形成されている。
なお，上記ガラス３２は，１枚のガラス板３２１により構成してもよく，３枚のガラス板３２１により構成してもよい。
【００２１】
また，図２に示すごとく，本例においては，ガラス枠２は，その後方側２０１に上記係合部２１を左右に２箇所ずつ有しており，これらの係合部２１は，上下及び左右対称に形成されている。
なお，本例においては，上記ガラス枠２に上記被係合部３１を係合する係合部２１を設け，上記ガラスユニット３に上記被係合部３１を設けた。一方で，ガラスユニット３にガラス枠２に設けた被係合部を係合する係合部を設け，ガラス枠２に上記被係合部を設けてもよい。
【００２２】
また，図５に示すごとく，上記ガラス枠２の各係合部２１は，ガラス枠２の後方側２０１に立設形成した立設部２１１と，この立設部２１１の先端部に回動可能に設けたロック部２１２と，このロック部２１２の回動範囲内に立設形成した受け部２２とを有している。そして，各係合部２１と各被係合部３１との係合は，上記ガラスユニット３を上記ガラス枠２の後方側２０１より配置した際に，上記各受け部２２に上記各被係合部３１を対面させ，上記各ロック部２１２を回動させて，各ロック部２１２と上記各受け部２２との間に上記各被係合部３１を挟み込むことにより行われる。
【００２３】
また，上記いずれの被係合部３１にも，ピン穴３１１が形成されており，上記ガラス枠２の左右下側の２箇所に形成した係合部２１の受け部２２よりも先端側には，上記ピン穴３１１に挿入するための立設ピン２２１が形成されている。
また，各係合部２１のロック部２１２には，上記ピン穴３１１に係合する突起２１３が形成されている。
【００２４】
また，図２に示すごとく，上記ガラス枠２には，これに取り付けたガラスユニット３の自重を受けるための受け棚２４が形成されている。
そして，図１，図５に示すごとく，本例では，ガラスユニット３をガラス枠２に取り付けた際には，ガラスユニット３は，上記２つの立設ピン２２１が２箇所の被係合部３１のピン穴３１１に挿入されると共に，ガラスユニット３の下部が上記受け棚２４によって保持されて，上記ガラス枠２に対して位置決めがされ，上記各係合部２１と各被係合部３１との係合によってガラス枠２に対して固定される。こうして，ガラスユニット３をガラス枠２に安定して取り付けることができる。
【００２５】
本例においては，図３に示すごとく上記ガラスユニット３において，又は図１に示すごとくガラスユニット３をガラス枠２に取り付けた状態において，上記略真円形状を有するガラス３２の中心点Ｏを通って上下方向に向けて形成した軸を上下中心軸Ｘ１といい，上記中心点Ｏを通って左右方向に向けて形成した軸を左右中心軸Ｘ２という。また，図４に示すごとく，上記ガラスユニット３においては，その表裏方向（厚み方向）における中心を通る軸を表裏中心軸Ｘ３という。
【００２６】
以上のように，図３，図４に示すごとく，上記ガラスユニット３は，上記上下中心軸Ｘ１を介して左右対称に，また上記左右中心軸Ｘ２を介して上下対称に，また上記表裏中心軸Ｘ３を介して表裏対称に形成されている。また，図２に示すごとく，上記ガラス枠２の係合部２１は，上記上下中心軸Ｘ１を介して左右対称に，また上記左右中心軸Ｘ２を介して上下対称に形成されている。
【００２７】
そして，図６（ａ）〜（ｄ）に示すごとく，上記ガラスユニット３は，その同一平面内で１８０°回転させても，また，上記上下中心軸Ｘ１もしくは上記左右中心軸Ｘ２を中心に表裏反転させても上記ガラス枠２に対して取り付けることができる。そして，本例においては，上記取付位置関係を以下の４通り形成することができる。
なお，上記ガラスユニット３の同一平面内とは，上記ガラス３２の表面に沿った平面内のことをいう。
【００２８】
ここに，図１に示すごとく，ガラスユニット３において，左上の被係合部３１を第１被係合部３１Ａ，左下の被係合部３１を第２被係合部３１Ｂ，右上の被係合部３１を第３被係合部３１Ｃ，右下の被係合部３１を第４被係合部３１Ｄとする。また，ガラス枠２において，左上の係合部２１を第１係合部２１ａ，左下の係合部２１を第２係合部２１ｂ，右上の係合部２１を第３係合部２１ｃ，右下の係合部２１を第４係合部２１ｄとする。
【００２９】
そして，図６（ａ）に示すごとく，上記ガラス枠２に上記ガラスユニット３を取り付けた１つの形態を基準状態１００とする。
すなわち，上記第１被係合部３１Ａ，第２被係合部３１Ｂ，第３被係合部３１Ｃ，第４被係合部３１Ｄが，それぞれ第１係合部２１ａ，第２係合部２１ｂ，第３係合部２１ｃ，第４係合部２１ｄに係合した状態を基準状態１００とする。
【００３０】
そして，ガラスユニット３は，以下のようにして，上記基準状態１００（図６（ａ）参照）に対して，同一平面内で１８０°回転させた場合（以下これを第１変更状態１０１という，（図６（ｂ）参照）），基準状態１００に対して上記上下中心軸Ｘ１を中心に表裏反転させた場合（以下これを第２変更状態１０２という，（図６（ｃ）参照）），基準状態１００に対して上記左右中心軸Ｘ２を中心に表裏反転させた場合（以下これを第３変更状態１０３という，（図６（ｄ）参照））との３つの変更状態を形成することができる。
【００３１】
図６（ｂ）に示すごとく，上記第１変更状態１０１においては，ガラスユニット３は，上記第１被係合部３１Ａ，第２被係合部３１Ｂ，第３被係合部３１Ｃ，第４被係合部３１Ｄがそれぞれ第４係合部２１ｄ，第３係合部２１ｃ，第２係合部２１ｂ，第１係合部２１ａに係合する。これにより，上記ガラスユニット３は同一平面内で１８０°回転させた状態においても，ガラス枠２に対して取り付けることができる。
【００３２】
また，図６（ｃ）に示すごとく，上記第２変更状態１０２においては，ガラスユニット３は，上記第１被係合部３１Ａ，第２被係合部３１Ｂ，第３被係合部３１Ｃ，第４被係合部３１Ｄがそれぞれ第３係合部２１ｃ，第４係合部２１ｄ，第１係合部２１ａ，第２係合部２１ｂに係合する。これにより，上記ガラスユニット３は上下中心軸Ｘ１を中心に表裏反転した状態においても，ガラス枠２に対して取り付けることができる。
【００３３】
また，図６（ｄ）に示すごとく，上記第３変更状態１０３においては，ガラスユニット３は，上記第１被係合部３１Ａ，第２被係合部３１Ｂ，第３被係合部３１Ｃ，第４被係合部３１Ｄがそれぞれ第２係合部２１ｂ，第１係合部２１ａ，第４係合部２１ｄ，第３係合部２１ｃに係合する。これにより，上記ガラスユニット３は左右中心軸Ｘ２を中心に表裏反転した状態においても，ガラス枠２に対して取り付けることができる。
このように，上記ガラスユニット３をガラス枠２に取り付けた取付位置関係は，上記４つの取付位置関係を有することができる。
【００３４】
なお，上記基準状態１００と，上記各変更状態１０１〜１０３においては，上記ガラスユニット３をガラス枠２に対して取り付けた際に示す外観，すなわちガラスユニット取付構造１による外観は略同一に保たれる。すなわち，基準状態１００とは，全体に取り得る上記複数通りの取付位置関係のうちのいずれかをいい，いずれの取付位置関係においても，上記取付構造１は，略同一の構造を形成する。
【００３５】
上記のごとく，本例のガラスユニット取付構造１は，上記各係合部２１及び各被係合部３１を係合して，上記ガラス枠２と上記ガラスユニット３との取付位置関係が，複数通り取り得るよう構成されている。
そして，上記第１変更状態１０１として示したように，ガラスユニット３は，その同一平面内で上記基準状態１００に対して所定角度（１８０°）回転させた状態においても取付可能である。
【００３６】
また，上記第２変更状態１０２として示したように，ガラスユニット３は，上下中心軸Ｘ１を中心に表裏反転させた状態においても取付可能である。また，上記第３変更状態１０３として示したように，ガラスユニット３は，左右中心軸Ｘ２を中心に表裏反転させた状態においても取付可能である。
【００３７】
そして，上記ガラスユニット取付構造１は，上記基準状態１００，第１〜第３変更状態１０１〜１０３のいずれの取付位置関係にあっても，上記ガラスユニット３のガラス３２又は外縁部３３が上記ガラス枠２の開口穴２３を後方側２０１より覆うことができる。すなわち，上記ガラスユニット３は，上記ガラス枠２に対する向きを，上下及び左右逆，表裏逆に変更した状態でも，このガラスユニット３のガラス３２又は外縁部３３がガラス枠２の開口穴２３を後方側２０１より覆うことができる。
【００３８】
そして，上記取付構造１においては，ガラスユニット３は明確な一方向性を有しておらず，このガラスユニット３における一定の方向を常にガラス枠２の一定の方向に合わせて取り付けることが不要となる。そのため，作業者は，ガラスユニット３の上下及び表裏を意識することなく上記取付作業を行うことができる。
それ故，本例によれば，上記取付作業の作業効率を向上させることができる。
【００３９】
また，上記ガラスユニット取付構造１においては，ガラスユニット３を上下及び表裏逆にガラス枠２に取り付けても，ガラスユニット３のガラス枠２に対する取付構造１をほぼ一定に保つことができる。そのため，上記いずれの取付位置関係にあっても，上記取付構造１は，一定の外観を呈することができる。
【００４０】
（実施例２）
本例は，図７に示すごとく，上記ガラスユニット３を，上下及び左右対称，上下及び左右方向と４５°の角度を有する対角線を介する対角対称，及び表裏対称に形成した例である。そして，ガラスユニット３の被係合部３１は，上下及び左右対称，対角対称及び表裏対称に４箇所に形成されている。また，上記ガラス枠２の各係合部２１は，上記４箇所の被係合部３１に係合するよう形成されている。
【００４１】
本例においては，上記ガラスユニット３をガラス枠２に取り付けた状態において，上記ガラス３２の中心点Ｏを通って上記上下及び左右方向と４５°の角度を有する対角方向に形成した軸を対角中心軸Ｘ４という。
こうして，上記ガラスユニット３は，上記上下中心軸Ｘ１を介して左右対称に，また上記左右中心軸Ｘ２を介して上下対称に，また上記対角中心軸Ｘ４を介して対角対称に，また上記表裏中心軸Ｘ３を介して表裏対称に形成されている。
その他，ガラスユニット３及びガラス枠２の構成については，上記実施例１と同様である。
【００４２】
本例のガラスユニット取付構造１は，詳細は省略するが，上記ガラスユニット３は，上記基準状態１００と，この基準状態１００に対して，ガラスユニット３の同一平面内で９０°，１８０°，２７０°回転させた各変更状態と，基準状態１００に対して，上下中心軸Ｘ１を中心に表裏反転させた変更状態と，基準状態１００に対して，９０°，１８０°，２７０°回転させると共にそれぞれ上下中心軸Ｘ１を中心に表裏反転させた変更状態とでガラス枠２に取り付けることができる。そして，これにより，８通りの上記取付位置関係を形成することができる。
【００４３】
そして，本例の取付構造１においても，ガラスユニット３は明確な一方向性を有しておらず，このガラスユニット３における一定の方向を常にガラス枠２の一定の方向に合わせて取り付けることが不要となる。
そのため，作業者は，ガラスユニット３をガラス枠２に取り付ける際には，ガラスユニット３の上下左右及び表裏を意識することなく上記取付作業を行うことができる。それ故，本例によっても，上記取付作業の作業効率を向上させることができる。
その他，本例においても，上記実施例１と同様の作用効果を得ることができる。
【００４４】
（実施例３）
本例は，図１０に示すごとく，上記ガラスユニット３を全対称に形成した例である。すなわち，本例では，ガラスユニット３は略真円形状を有すると共に，図１１に示すごとく，表裏対称に形成されている。
そして，図１０に示すごとく，上記ガラス３２は略真円形状を有しており，上記被係合部３１は，上記外縁部３３の全外周において略均一に形成されている。
また，図１１に示すごとく，本例の被係合部３１は，上記ピン穴３１１を有しておらず，その代わりに，被係合部３１の表裏両面において，全周溝３１２を有している。
【００４５】
また，図９，図１１に示すごとく，本例のガラス枠２において左右下側の２箇所に位置する係合部２１は，上記受け部２２の立設ピン２２１を有しておらず，その代わりに，上記左右下側の２箇所の係合部２１における受け部２２において，上記全周溝３１２に係合する位置決め突起２２３を有している。
また，図１１に示すごとく，本例では，上記各係合部２１のロック部２１２における突起２１３も，上記全周溝３１２に係合する。
また，図９，図１１に示すごとく，本例のガラス枠２は，上記受け棚２４を有しておらず，その代わりに，上記左右下側の２箇所の係合部２１に上記ガラスユニット３の外縁部３３を受ける保持リブ２５を有している。なお，この保持リブ２５の代わりに上記受け棚２４を有していても勿論よい。
【００４６】
そして，図８，図１１に示すごとく，本例では，上記ガラスユニット３は，上記位置決め突起２２３及び上記保持リブ２５によってガラス枠２に対して位置決めされると共に，各係合部２１と上記全周に形成した被係合部３１との係合によってガラス枠２に対して固定される。
【００４７】
また，図１１に示すごとく，各係合部２１と被係合部３１との係合は，上記各係合部２１の受け部２２に上記被係合部３１を対面させ，上記各係合部２１のロック部２１２を回動させて，各ロック部２１２と各受け部２２との間に被係合部３１を挟み込むことにより行われる。
【００４８】
本例においては，上記ガラスユニット３が全く方向性を有しておらず，このガラスユニット３は，いかなる上記同一平面内の角度においても，上記ガラス枠２に取付が可能である。また，ガラスユニット３は，表裏反転しても取付が可能である。
そのため，作業者は，ガラスユニット３をガラス枠２に取り付ける際には，ガラスユニット３の同一平面内での角度及び表裏を意識することなく上記取付作業を行うことができる。それ故，本例によっても，上記取付作業の作業効率を向上させることができる。
その他，本例においても，上記実施例１と同様の作用効果を得ることができる。
【図面の簡単な説明】
【図１】実施例１における，ガラスユニットの取付構造をガラス枠の後方側より見た状態で示す説明図。
【図２】実施例１における，ガラス枠を後方側より見た状態で示す説明図。
【図３】実施例１における，ガラスユニットを示す説明図。
【図４】実施例１における，ガラス枠の係合部とガラスユニットの被係合部との係合状態を示す図で，図１におけるＡ−Ａ線矢視断面説明図。
【図５】実施例１における，ガラス枠の係合部とガラスユニットの被係合部との係合状態を示す図で，図１におけるＢ−Ｂ線矢視断面説明図。
【図６】実施例１における，ガラス枠とガラスユニットとの取付位置関係を示す図で，（ａ）基準状態，（ｂ）第１変更状態，（ｃ）第２変更状態，（ｄ）第３変更状態を示す説明図。
【図７】実施例２における，ガラスユニットを示す説明図。
【図８】実施例３における，ガラスユニットの取付構造をガラス枠の後方側より見た状態で示す説明図。
【図９】実施例３における，ガラス枠を後方側より見た状態で示す説明図。
【図１０】実施例３における，ガラスユニットを示す説明図。
【図１１】実施例３における，ガラス枠の係合部とガラスユニットの被係合部との係合状態を示す図で，図８におけるＡ−Ａ線矢視断面説明図。
【符号の説明】
１．．．ガラスユニット取付構造（ガラス扉），
１００．．．基準状態，
１０１．．．第１変更状態，
１０２．．．第２変更状態，
１０３．．．第３変更状態，
２．．．ガラス枠，
２０１．．．後方側，
２１．．．係合部，
２３．．．開口穴，
３．．．ガラスユニット，
３１．．．被係合部，
３２．．．ガラス，
３３．．．外縁部，
【図１】
2004201737.tif 000003
【図２】
2004201737.tif 000004
【図３】
2004201737.tif 000005
【図４】
2004201737.tif 000006
【図５】
2004201737.tif 000007
【図６】
2004201737.tif 000008
【図７】
2004201737.tif 000009
【図８】
2004201737.tif 000010
【図９】
2004201737.tif 000011
【図１０】
2004201737.tif 000012
【図１１】
2004201737.tif 000013